(57)【要約】【課題】開閉扉に搭載された外気温度測定部の測定精度を向上させる冷却庫を提供する。【解決手段】開閉扉ＤＲの一方である第２開閉扉部ＤＲ２には、開閉に用いられる副手掛け部１１Ｓが含まれている。この副手掛け部１１Ｓは、第２開閉扉部ＤＲ２の表面ＯＳ２の縁および側面ＳＳ２ａの縁にて表出し、その側面ＳＳ２ａの縁にて、窪むとともに側面ＳＳ２ａの長手に沿って延びる手掛け窪み２１を含んでいる。そして、手掛け窪み２１は、自身の延び方向の一方側に向かって先細る幅を有しており、サーミスタ３１は、手掛け窪み２１の延び方向での先細った一方側にて、副手掛け部１１Ｓの内部でかつ手掛け窪み２１の裏に位置する。【選択図】図１
2009047357.tif 000002
【特許請求の範囲】
【請求項１】
収容室と、
回動することで、上記収容室の開放口を開閉させる開閉扉と、
上記収容室外の外気温度を測定する外気温度測定部と、
を含む冷却庫であって、
上記開閉扉には、開閉に用いられる副手掛け部が含まれており、
上記副手掛け部は、上記開閉扉の表面の縁および上記開閉扉の側面の縁にて表出し、上記側面の縁にて、窪むとともに側面の長手に沿って延びる手掛け窪みを含んでおり、
上記手掛け窪みは、自身の延び方向の一方側に向かって先細る幅を有しており、
上記外気温度測定部は、上記の延び方向での先細った一方側にて、上記副手掛け部の内部でかつ上記手掛け窪みの裏に位置している冷却庫。
【請求項２】
上記開閉扉は、観音開き方式で、閉じた場合に並列する２つの開閉扉部を含んでおり、
上記副手掛け部は、一方の上記開閉扉部での表面の縁、および他方の上記開閉扉部に対向する一方の開閉扉部の側面の縁にて表出し、
上記手掛け窪みは、上記側面の縁にて窪むとともに、並列する２つの開閉扉部の境界の延び方向に沿って延びる請求項１に記載の冷却庫。
【請求項３】
上記手掛け窪みの深さは、上記手掛け窪みの延び方向の一方側に向かって徐々に浅くなっている請求項１または２に記載の冷却庫。
【請求項４】
上記手掛け窪みは、上記副手掛け部に対して別体である請求項１〜３のいずれか１項に記載の冷却庫。
【請求項５】
上記の一方の開閉扉部における表面の縁にて表出する上記副手掛け部の表側部分は、２つの開閉扉部の並列方向における中心に位置する請求項２〜４のいずれか１項に記載の冷却庫。
【請求項６】
上記副手掛け部は、上記外気温度測定部の測定結果を利用した情報を表示する表示パネルを含んでおり、
上記表示パネルは、上記副手掛け部の表側部分に位置する請求項５に記載の冷却庫。
【請求項７】
上記開閉扉部毎の表面には、主手掛け部が含まれており、
それらの２つの上記の主手掛け部は、上記副手掛け部の表側部分を挟み、
副手掛け部の表側部分および２つの主手掛け部は、一群になって、２つの開閉扉部の並列方向における中心に位置するとともに、上記境界の延び方向に沿って延びている請求項５または６に記載の冷却庫。
【発明の詳細な説明】
【技術分野】
【０００１】
本発明は、冷蔵庫、冷凍庫、冷凍冷蔵庫等の冷却庫である。
【背景技術】
【０００２】
従来、冷凍冷蔵庫に搭載される圧縮機の動作は、制御部によって制御される。そして、この制御部は、例えば、冷凍冷蔵庫における収容室（冷蔵室等）の庫内温度、収容室外の外気温度、および予め規定された設定温度に基づいて、圧縮機の動作を制御する（例えば、特許文献１参照）。
【０００３】
このような場合、庫内温度および外気温度の測定精度は高くなければならない。すると、温度測定用のサーミスタの位置が重要になってくる。例えば、外気温度用のサーミスタ（外気温度測定部）の位置が圧縮機の近くであると、圧縮機の駆動熱の影響で正確な外気温度が測定されない。また、壁を背にして配置された冷凍冷蔵庫の背面側に、外気温度用のサーミスタが位置すると、冷凍冷蔵庫の背面と壁との間の滞留した外気を測定することになり、正確な外気温度が測定されない。そこで、最近では、特許文献１に示されるように、外気温度用のサーミスタは冷蔵庫の開閉扉に搭載される。
【特許文献１】特開平６−３０７７４９号公報（図３、段落0028等参照）
【発明の開示】
【発明が解決しようとする課題】
【０００４】
ところで、美観上、開閉扉の表面にサーミスタが露出すること少ない。つまり、通常は、サーミスタは開閉扉の内部に収容される。すると、サーミスタは、開閉扉の内部に位置するものの、開閉扉の表面から乖離することになる。そのため、外気温度の測定精度が高くなりづらい。
【０００５】
本発明は、上記の状況を鑑みてなされたものである。そして、本発明の目的は、開閉扉に搭載された外気温度測定部の測定精度を向上させる冷却庫を提供することにある。
【課題を解決するための手段】
【０００６】
冷却庫は、収容室と、回動することで、収容室の開放口を開閉させる開閉扉と、その収容室外の外気温度を測定する外気温度測定部とを含む。そして、この冷却庫の開閉扉には、開閉に用いられる副手掛け部が含まれる。
【０００７】
副手掛け部は、開閉扉の表面の縁および開閉扉の側面の縁にて表出し、側面の縁にて、窪むとともに側面の長手に沿って延びる手掛け窪みを含む。この手掛け窪みは、自身の延び方向の一方側に向かって先細る幅を有する。そして、外気温度測定部は、手掛け窪みの延び方向での先細った一方側にて、副手掛け部の内部でかつ手掛け窪みの裏に位置する。
【０００８】
このようになっていると、手掛け窪みに、ユーザの手が添え置かれる。そのため、この副手掛け部を用いた開閉扉を開閉が可能になる。その上、この手掛け窪みは線状に延びており、その窪みの幅は延び方向の一方側に向かって先細っている。すると、開閉扉外の外気は、手掛け窪みの先細る一方側に流れやすくなる。外気温度測定部は、この流れる外気の到達する箇所（すなわち、手掛け窪み延び方向での先細った一方側）に位置する。その結果、外気温度測定部は、滞留することのない外気を測定でき、その測定結果の精度は向上する。
【０００９】
なお、開閉扉の一例としては観音開き方式が挙げられる。かかる方式の開閉扉の場合、閉じると並列する２つの開閉扉部が含まれる。そして、副手掛け部は、一方の開閉扉部での表面の縁、および他方の開閉扉部に対向する一方の開閉扉部の側面の縁にて表出する。さらに、手掛け窪みは、一方の開閉扉部の側面の縁にて窪むとともに、並列する２つの開閉扉部の境界の延び方向に沿って延びている。
【００１０】
ところで、手掛け窪みの深さは一定の深さである必要はない。例えば、手掛け窪みの深さは、手掛け窪みの延び方向にて先細った一方側に向かって徐々に浅くなっていると望ましい。このようになっていると、一層外気が流れやすくなるためである。
【００１１】
なお、手掛け窪みは、副手掛け部に対して別体であっても一体であってもよい。要は、手掛け窪みは、開閉扉部での側面の縁にて表出していればよい。
【００１２】
また、一方の開閉扉部における表面の縁にて表出する副手掛け部の表側部分は、２つの開閉扉部の並列方向（すなわち冷却庫の幅方向）における中心に位置すると望ましい。このようになっていると、冷却庫の幅方向の中心位置が明確になり、美観性が向上するためである。
【００１３】
また、副手掛け部は、外気温度測定部の測定結果を利用した情報を表示する表示パネルを含んでおり、その表示パネルは、副手掛け部の表側部分に位置していると望ましい。ユーザに比較的よくみられる表示パネルが、開閉扉部の並列方向における中心に位置すると、ユーザは向上した美観性をより強く感じるためである。
【００１４】
なお、開閉扉部毎の表面には、主手掛け部が含まれており、それらの２つの主手掛け部は、副手掛け部の表側部分を挟んでいると望ましい。さらに、副手掛け部の表側部分および２つの主手掛け部は、一群になって、２つの開閉扉部の並列方向における中心に位置するとともに、境界の延び方向に沿って延びていると望ましい。
【００１５】
このようになっていると、冷却庫の幅方向の中心位置に、１本の線状に、副手掛け部の表側部分および２つの主手掛け部がみえ、冷却庫の美観性が一層向上する。
【発明の効果】
【００１６】
本発明によれば、副手掛け部（特に手掛け窪み）の存在によって、開閉扉の開閉の仕方の自由度が高まる。その上、冷却庫の外気は、先細った手掛け窪みに沿って流れやすく、その先細った側の箇所に外気温度測定部が位置する。そのため、外気測定部は滞留する外気を測定しなくてよいので、測定結果の精度が向上する。
【発明を実施するための最良の形態】
【００１７】
［実施の形態１］
本発明の実施の一形態について、図面に基づいて説明すれば、以下の通りである。なお、便宜上、ハッチング、部材符号等を省略する場合もあるが、かかる場合、他の図面を参照するものとする。また、図面上での黒丸は紙面に対し垂直方向を意味する。
【００１８】
また、冷却庫は、食品等の物品の温度を下げる装置全般を指す概念である。そのため、冷蔵庫、冷凍庫、冷凍冷蔵庫、保冷庫、ショーケース、自動販売機等の装置は、冷却庫の一例となる。
【００１９】
図４は、冷凍冷蔵庫５９の正面を示す平面図であり、図５は図４における冷凍冷蔵庫５９のＡ−Ａ’線矢視断面図である。
【００２０】
冷凍冷蔵庫５９は、複数の収容室５１〜５５を含む。各収容室５１〜５５は、室内温度を異ならせており、その温度は、収容される食品に適した温度になっている。そして、以降では、冷蔵室５１を主に説明していく。なお、冷凍冷蔵庫５９および冷凍室５１の幅方向を幅方向Ｗ、高さ方向を高さ方向Ｔ、奥行き方向を奥行き方向Ｄと称する。
【００２１】
冷蔵室５１の開放口は、観音開き方式の扉（開閉扉）ＤＲによって開閉される。開閉扉ＤＲは、閉じた場合に隣り合う２つの第１開閉扉部ＤＲ１および第２開閉扉部ＤＲ２を含む。つまり、冷蔵室５１における側壁５１ａの一方に、回動可能な第１開閉扉部ＤＲ１が取り付けられ、他方の側壁５１ａにも回動可能な第２開閉扉部ＤＲ２が取り付けられる。
【００２２】
なお、開閉扉部ＤＲ１・ＤＲ２にて、冷蔵室５１内部に向く面を内側面ＩＳ（ＩＳ１・ＩＳ２）、その内側面ＩＳの裏側で外部に向く面を表面ＯＳ（ＯＳ１・ＯＳ２）、内側面ＩＳと表面ＯＳとによって挟まれる面を側面ＳＳ（ＳＳ１・ＳＳ２）と称する。
【００２３】
特に、互いに対向する第１開閉扉部ＤＲ１の側面ＳＳ１と第２開閉扉部ＤＲ２の側面ＳＳ２とを、対向側面ＳＳ１ａ・対向側面ＳＳ２ａと称する。また、冷蔵室５１の底面および天面に近い側面ＳＳ１は、底面ＳＳ１ｂおよび天面ＳＳ１ｃと称し、同じく冷蔵室５１の底面および天面に近い側面ＳＳ２は、底面ＳＳ２ｂおよび天面ＳＳ２ｃと称する。
【００２４】
また、第１開閉扉部ＤＲ１および第２開閉扉部ＤＲ２の幅方向・高さ方向・奥行き方向（厚み方向）は、両開閉扉部ＤＲ１・ＤＲ２が閉じた場合、冷凍冷蔵庫５９および冷蔵室５１の幅方向Ｗ・高さ方向Ｔ・奥行き方向Ｄと一致する。
【００２５】
まず、第１開閉扉部ＤＲ１について説明する。この第１開閉扉部ＤＲ１は、第２開閉扉部ＤＲ２に隣り合っており、第２開閉扉部ＤＲ２の幅長よりも短い幅長を有する。そして、この第１開閉扉部ＤＲ１は、１種類の手掛け部１１（主手掛け部１１Ｍ１）を含む。
【００２６】
主手掛け部１１Ｍ１（主たるハンドル）は、第１開閉扉部ＤＲ１を開閉させる場合に、手を添え置ける箇所である。そして、このように手が添え置けることで、ユーザは手を介して、第１開閉扉部ＤＲ１を回動させる力を加える。なお、第１開閉扉部ＤＲ１を開ける場合および閉じる場合の両方の場合に、主手掛け部１１Ｍ１を介して、力は加えられる。
【００２７】
また、主手掛け部１１Ｍ１は、第１開閉扉部ＤＲ１の表面の縁、特に、第１開閉扉部ＤＲ１と第２開閉扉部ＤＲ２との境界付近に位置する。そして、この主手掛け部１１Ｍ１は、第１開閉扉部ＤＲ１の表面ＯＳ１に対して延び出る厚みを有する。そして、この厚みの部分に、直接、ユーザの手の触れる空洞ＨＬ１が形成される。この空洞ＨＬ１は、順手の左手を入れるような穴である。そのため、第１開閉扉部ＤＲ１は、主に左手によって開閉される。
【００２８】
なお、第１開閉扉部Ｄ１には、図６の断面図（図５における点線丸部分の拡大図）および図７の側面断面図（ただし、後述のアルミシート３０Ｓは省略）に示すように、結露防止ヒータ３０が含まれる。結露防止ヒータ３０は、電流供給によって熱される金属線３０Ｌと、この金属線３０Ｌに密着して熱を伝導されるアルミシート３０Ｓを含む。
【００２９】
金属線３０Ｌは、第１開閉扉部ＤＲ１の対向側面ＳＳ１ａの内側（断熱材が充填されている第１開閉扉部ＤＲ１の内部）に位置する。そして、この金属線３０Ｌは、対向側面ＳＳ１ａの長手に対して２倍程度の長さを有しており、内側の対向側面ＳＳ１ａにて、天面ＳＳ１ｃから底面ＳＳ１ｂに向かって取り付くとともに（貼り付いているとともに）、底面ＳＳ１ｂから天面ＳＳ１ｃに向かって戻るように取り付く。つまり、金属線３０Ｌは、内側の対向面ＳＳ１ａにて、天面ＳＳ１ｃに開口を向けたＵ字状である。
【００３０】
アルミシート３０Ｓは、Ｕ字状の金属線３０Ｌを覆う。詳説すると、アルミシート３０Ｓは、対向面ＳＳ１ａの内側とで金属線３０Ｌを挟みこみながら、その対向面ＳＳ１ａの内側に貼り付く。そして、このアルミシート３０Ｓは、熱せられた金属線３０Ｌの熱を受けることで熱くなる。そのため、このアルミシート３０Ｓの貼り付いた対向側面ＳＳ１ａも暖かくなり、ひいては、この対向側面ＳＳ１ａの外側に位置するドアパッキンＤＰも暖かくなる。その結果、ドアパッキンＤＰが結露しない。
【００３１】
次に、第２開閉扉部ＤＲ２について説明する。この第２開閉扉部ＤＲ２は、図１の斜視図（第２開閉扉部ＤＲ２のみの斜視図）に示すように、２種類の手掛け部１１（主手掛け部１１Ｍ２・副手掛け部１１Ｓ）を含む。主手掛け部１１Ｍ２および副手掛け部１１Ｓは、第１開閉扉部ＤＲ１での主手掛け部１１Ｍ１同様に、第２開閉扉部ＤＲ２を開閉させる場合に、手を添え置ける箇所である。なお、第２開閉扉部ＤＲ２を開ける場合および閉じる場合の両方の場合に、主手掛け部１１Ｍ２および副手掛け部１１Ｓの少なくとも一方を介して、力は加えられる。
【００３２】
主手掛け部１１Ｍ２（主たるハンドル）は、図１に示すように、第２開閉扉部ＤＲ２の表面ＯＳ２にて、副手掛け部１１Ｓに隣り合う（第２開閉扉部ＤＲ２の幅方向にて隣り合う）。そのため、主手掛け部１１Ｍ２は、対向側面ＳＳ２ａから離れて位置する。
【００３３】
また、この主手掛け部１１Ｍ２は、第１開閉扉部ＤＲ１の主手掛け部１１Ｍ１同様に、第２開閉扉部ＤＲ２の表面ＯＳ２に対して延び出る厚みを有する。そして、この厚みの部分に、直接、ユーザの手の触れる空洞ＨＬ２が形成される。この空洞ＨＬ２は、図１に示すように、順手の右手を入れるような穴である。そのため、第２開閉扉部ＤＲ２は、主に右手によって開閉される（なお、矢印Ｐ１は、空洞ＨＬ２に入る右手が力を入れる方向を示す）。
【００３４】
副手掛け部１１Ｓ（補助的なハンドル）は、第２開閉扉部ＤＲ２の表面ＯＳ２の縁および第２開閉扉ＤＲ２の対向側面ＳＳ２ａの縁に位置する。特に、この副手掛け部１１Ｓは、表面ＯＳ２および対向側面ＳＳ２ａの両面にて表出する（なお、表面ＯＳ２にて表出する副手掛け部１１Ｓの一部分を表側部分１１Ｓａ、対向側面ＳＳ２ａにて表出する副手掛け部１１Ｓの一部分を対向側面部分１１Ｓｂと称する）。そして、この対向側面部分１１Ｓｂに、直接、ユーザの手の触れる窪み（手掛け窪み）２１が形成される。
【００３５】
この窪み２１は、対向側面ＳＳ２ａ（ひいては、対向側面部分１１Ｓｂ）から窪むため、その窪み方向は、第２開閉扉部ＤＲ２の幅方向Ｗに沿う。また、窪み２１は、高さ方向Ｔ（対向側面ＳＳ２ａの長手）に沿って延びる。すなわち、窪み２１は、一方向に窪むとともに、対向側面部分１１Ｓｂにて、その窪み方向に対して交差する方向（直交等する方向）に延びている。
【００３６】
そして、この副手掛け部１１Ｓは、図１に示すように、半開き状態での第２開閉扉部ＤＲ２をさらに開けようとする場合、または閉じようとする場合に有効である。なぜなら、半開き状態での第２開閉扉部ＤＲ２をさらに開けようとする場合、副手掛け部１１Ｓの窪み２１に、右手親指が嵌りやすいためである（矢印Ｐ２は、窪み２１に係る右手が力を入れる方向を示す）。また、半開き状態での第２開閉扉部ＤＲ２を閉じようとする場合、副手掛け部１１Ｓの窪み２１に、右手の親指以外の指が引っかかりやすいためでもある（矢印Ｐ３は、窪み２１に係る右手以外の指が力を入れる方向を示す）。
【００３７】
なお、窪み２１の位置する対向側面部分１１Ｓｂの幅Ｘは、一定ではない。具体的には、第２開閉扉部ＤＲ２の底面ＳＳ２ｂ側における対向側面部分１１Ｓｂの幅Ｘ１は、第２開閉扉部ＤＲ２の天面ＳＳ２ｃ側における対向側面部分１１Ｓｂの幅Ｘ２、Ｘ３よりも長い（Ｘ１＞Ｘ２＞Ｘ３）。
【００３８】
このような差は、副手掛け部１１Ｓの表側部分１１Ｓａが、第２開閉扉部ＤＲ２の裏面ＩＳ２に倒れ込むように傾斜しているためである。詳説すると、第２開閉扉部ＤＲ２の天面ＳＳ２ｃ側における表側部分１１Ｓａが、第２開閉扉部ＤＲ２の底面ＳＳ２ｂ側における表側部分１１Ｓａに比べて、第２開閉扉部ＤＲ２の裏面ＩＳ２に倒れ込むためである。
【００３９】
そして、この表側部分１１Ｓａの倒れ込み度合いは、第２開閉扉部ＤＲ２の天面ＳＳ２ｃ側に近づくにつれて大きくなるので、表側部分１１Ｓａは湾曲する（丸まる）。その結果、対向側面部分１１Ｓｂは、表側部分１１Ｓａの湾曲（曲面形状）に応じて、幅を変化させる。具体的には、対向側面部分１１Ｓｂは、図１に示すように、先細った面形状になる。
【００４０】
そして、この先細った対向部側面分１１Ｓｂに相似するように窪み２１が形成されると、窪み２１の幅Ｙは、自身の延び方向における一方側（詳説すると、第２開閉扉部ＤＲ２の天面ＳＳ２ｃ側）に向かって先細ることになる（Ｙ１＞Ｙ２＞Ｙ３）。
【００４１】
ここで、副手掛け部１１Ｓの内部に収容される部材の一部について説明する。図２の拡大断面図に示すように、副手掛け部１１Ｓのハウジングの内部には、サーミスタ（外気温度測定部）３１と液晶表示装置（表示装置）４１とが含まれる。
【００４２】
サーミスタ３１は、例えば冷蔵室５１の室外（すなわち外気）の温度を測定する素子である。このサーミスタ３１の測定結果（外気温度測定結果）は、種々の制御に用いられる。例えば、冷凍冷蔵庫５９の圧縮機等は、外気温度測定結果と、冷蔵室５１等の室内温度を測定する別のサーミスタ（不図示）の測定結果（庫内温度測定結果）と、予め設定される設定温度と、に基づいて制御される（なお、この制御は、不図示の制御部によって管理される）。
【００４３】
液晶表示装置４１は、外気温度または庫内温度等の温度情報、その他の情報（文字情報・画像情報等）を表示するものである。具体的には、導光板４２を介して入射する光によって機能する液晶表示パネル４３に、情報は表示される（なお、液晶表示パネル４３は表示カバー４４にて保護されている）。また、情報となる信号は、不図示の制御部から基板４５を介して液晶表示パネル４３に伝えられる。なお、この基板４５に、サーミスタ３１は実装される。
【００４４】
ところで、サーミスタ３１の位置には好ましい位置がある。その位置は、副手掛け部１１Ｓにおける窪み２１の延び方向での先細った一方側にて、その副手掛け部１１Ｓの内部でかつ窪み２１の裏である。
【００４５】
このようになっていると、サーミスタ３１は窪み２１の裏側に位置するので、窪み量分だけ外気に近くなる。また、窪み２１は、線状に延びている上に先細っている。そのため、窪み２１内に入り込む外気は、窪み２１の延び方向に沿って流れる。特に、窪み２１は先細っているために、その先細っている側に向いて、外気は流れやすい。
【００４６】
すると、この先細った側に位置するサーミスタ３１には、滞留した外気が触れにくくなる。そのため、サーミスタ３１は、滞留して変温した外気を測定するのではなく、流れる外気の温度を測定できる。したがって、サーミスタ３１によって測定される外気温度の精度が高くなる。
【００４７】
また、窪み２１の深さＺは、図３に示すように、自身の延び方向での先細った一方側に向かって徐々に浅い（Ｚ１＞Ｚ２＞Ｚ３）。このようになっていると、比較的に深くなっている箇所からから浅くなっている箇所（第２開閉扉部ＤＲ２の底面ＳＳ２ｂ側から天面ＳＳ２ｃ側）に向かって、外気がより流れやすくなる。そのため、より一層、サーミスタ３１は流れる外気の温度を測定できる。
【００４８】
なお、窪み２１は、副手掛け部１１Ｓと一体化していてもよい（例えば、一体成形されていてもよい）。また、窪み２１を有する部材（線状の受け皿部材）が、副手掛け部１１Ｓに取り付けられていてもよい（要は、窪み２１が、副手掛け部１１Ｓに対して別体であってもよい）。
【００４９】
ところで、窪み２１の対向する第１開閉扉部ＤＲ１の対向側面ＳＳ１ａには、結露防止ヒータ３０が位置する。詳説すると、第１開閉扉部ＤＲ１のドアパッキンＤＰと第２開閉扉部ＤＲ２のドアパッキンＤＰとが密着している付近で、対向側面ＳＳ１ａの内側に結露防止ヒータ３０は取り付いている。
【００５０】
そして、この結露防止ヒータ３０が駆動すると、密着したドアパッキンＤＰ・ＤＰ付近の外気が暖まる。つまり、第１開閉扉部ＤＲ１と第２開閉扉部ＤＲ２との間にて、冷蔵室５１に比較的近い隙間αの外気が温められる。このような隙間αの外気が暖まると、この隙間αの外気と、隙間αにつながった第１開閉扉部ＤＲ１と第２開閉扉部ＤＲ２との境界付近の外気（表面ＯＳ１の主手掛け部１１Ｍ１と第２開閉扉部ＤＲ２の副手掛け部１１Ｓとの隙間β付近の外気）とに、圧力差が生じる。
【００５１】
すると、第１開閉扉部ＤＲ１と第２開閉扉部ＤＲ２との境界付近の外気が、密着したドアパッキンＤＰ・ＤＰ付近に向かって流れる。このようにして外気が流れる場合、その外気の温度は、サーミスタ３１によって測定される。つまり、サーミスタ３１は、結露防止ヒータ３０によって暖められた外気に起因して、流れ込もうとする外気（滞留していない外気）を測定できる。
【００５２】
［その他の実施の形態］
なお、本発明は上記の実施の形態に限定されず、本発明の趣旨を逸脱しない範囲で、種々の変更が可能である。
【００５３】
例えば、以上では、副手掛け部１１Ｓは、並列する２つの開閉扉部ＤＲ１・ＤＲ２の境界に向く第２開閉扉部ＤＲ２での対向側面ＳＳ２ａの縁に表出していた。そして、その対向側面ＳＳ２ａの縁にて、窪み２１は、窪むとともに境界の延び方向に沿って延びていた。
【００５４】
しかし、副手掛け部１１Ｓは、観音開き方式の開閉扉ＤＲの１つの第２開閉扉部ＤＲ２に位置するものとは限らない。例えば、冷蔵室５１の開閉を担う１枚の開閉扉に、副手掛け部１１Ｓが位置してもよい。
【００５５】
要は、副手掛け部１１Ｓは、１枚の開閉扉ＤＲの表面の縁および側面の縁にて表出する、または観音開き方式の第２開閉扉部ＤＲ２の表面の縁および側面の縁にて表出すればよい。そして、その側面の縁にて、窪むとともに側面の縁に沿って延びる窪み２１が含まれていればよい。
【００５６】
ただし、窪み２１の幅は、自身の延び方向の一方側に向かって先細っており、サーミスタ３１は、窪み２１の延び方向での先細った一方側にて、副手掛け部１１Ｓの内部でかつ窪み２１の裏に位置していなければならない。
【００５７】
ところで、開閉扉ＤＲ（第１開閉扉部ＤＲ１・第２開閉扉部ＤＲ２）の表面ＯＳ１・ＯＳ２に表出する主手掛け部１１Ｍ（１１Ｍ１・１１Ｍ２）および副手掛け部１１Ｓは、冷凍冷蔵庫５９の外観上の美観に大きな影響を与える。
【００５８】
そこで、第２開閉扉部ＤＲ２における表面ＯＳ２の縁にて表出する副手掛け部１１Ｓの表側部分１１Ｓａは、２つの開閉扉部ＤＲ１・ＤＲ２の並列方向（すなわち幅方向Ｗ）における中心に位置すると望ましい。このようになっていると、２つの開閉扉部ＤＲ１・ＤＲ２の幅長は互いに異なるものの、冷凍冷蔵庫５９の幅方向Ｗの中心位置が明確になり、美観性が向上する。
【００５９】
なお、副手掛け部１１Ｓにおける窪み２１は、第２開閉扉部ＤＲ２が閉じられた場合、冷凍冷蔵庫５９の正面側からはみえない。また、第１開閉扉部ＤＲ１も閉められていれば、より一層、冷凍冷蔵庫５９の正面側から副手掛け部１１Ｓにおける窪み２１はみえない。そのため、窪み２１に起因して、美観性の低下は起きない。
【００６０】
また、表示カバー４４を介して視認される液晶表示パネル４３は、副手掛け部１１Ｓの表側部分１１Ｓａに位置していると望ましい。液晶表示パネル４３は、ユーザが比較的よく視認する部分であり、その液晶表示パネル４３が、２つの開閉扉部ＤＲ１・ＤＲ２の並列方向における中心に位置すると、より一層、美観性が向上する。また、ユーザに比較的よくみられる液晶表示パネル４３が、開閉扉部ＤＲ１・ＤＲ２の並列方向における中心に位置すると、ユーザは向上した美観性をより強く感じることにもなる。
【００６１】
なお、第１開閉扉部ＤＲ１および第２開閉扉部ＤＲ２の表面に位置する主手掛け部１１Ｍ１および主手掛け部１１Ｍ２は、副手掛け部１１Ｓの表側部分１１Ｓａを挟んでいると望ましい。その上、これらの副手掛け部１１Ｓの表側部分１１Ｓａおよび２つの主手掛け部１１Ｍ１・１１Ｍ２は、一群になって、２つの開閉扉部ＤＲ１・ＤＲ２の並列方向における中心に位置するとともに、開閉扉部ＤＲ１・ＤＲ２の境界の延び方向に沿って延びていると望ましい。
【００６２】
このようになっていると、冷凍冷蔵庫５９の幅方向Ｗの中心位置に、１本の線状のように、副手掛け部１１Ｓの表側部分１１Ｓａおよび２つの主手掛け部１１Ｍ１・１１Ｍ２がみえ、冷凍冷蔵庫５９美観性が向上する。
【００６３】
また、以上のような主手掛け部１１Ｍ１・１１Ｍ２および副手掛け部１１Ｓは、冷凍室５１に取り付けられるとは限らない。例えば、図４のように、冷蔵室５１の下側に位置する別の収容室５２〜５５（例えば、製氷室、冷凍室）に、主手掛け部１１Ｍ１・１１Ｍ２および副手掛け部１１Ｓが取り付けられてもよい。
【図面の簡単な説明】
【００６４】
【図１】は、第２開閉扉部と、第２開閉部を開閉させる手とを図示した斜視図である。
【図２】は、図５に示される主手掛け部および副手掛け部の拡大断面図である。
【図３】は、図４に示される副手掛け部の拡大平面図である。
【図４】は、冷凍冷蔵庫の正面を示す平面図である。
【図５】は、図４における冷凍冷蔵庫のＡ−Ａ’線矢視断面図である。
【図６】は、図５における点線丸部分の拡大断面図である。
【図７】は、第１開閉扉部の側面断面図である。
【符号の説明】
【００６５】
ＤＲ      開閉扉
ＤＲ１    第１開閉扉部（開閉扉）
ＤＲ２    第２開閉扉部（開閉扉）
ＯＳ      開閉扉部の表面
ＯＳ１    第１開閉扉部の表面
ＯＳ２    第２開閉扉部の表面
ＳＳ      開閉扉部の側面
ＳＳ１ａ  第１開閉扉部の対向側面
ＳＳ２ａ  第２開閉扉部の対向側面
１１      手掛け部
１１Ｍ    主手掛け部
１１Ｍ１  第１開閉扉部の主手掛け部
１１Ｍ２  第２開閉扉部の主手掛け部
１１Ｓ    副手掛け部
２１      窪み（手掛け窪み）
３０      結露防止ヒータ
３０Ｌ    金属線（結露防止ヒータ）
３０Ｓ    アルミシート（結露防止ヒータ）
３１      サーミスタ（外気温度測定部）
４１      液晶表示装置
４３      液晶表示パネル
５１      冷蔵室
５９      冷凍冷蔵庫（冷却庫）
【図１】
2009047357.tif 000003
【図２】
2009047357.tif 000004
【図３】
2009047357.tif 000005
【図４】
2009047357.tif 000006
【図５】
2009047357.tif 000007
【図６】
2009047357.tif 000008
【図７】
2009047357.tif 000009